(57)【特許請求の範囲】
【請求項１】
縦方向へ延びる両側縁部と、横方向へ延びる両端縁部とを有し、前記縦方向に前胴周り域と、後胴周り域と、それら胴周り域の間に位置する股下域とを備える使い捨て着用物品において、
前記前後胴周り域のうちのいずれか一方の胴周り域において前記両側縁部から延出する各一対の第１ウイングと第２ウイングとを有し、
前記第１ウイングは、弾性伸縮性を有するシート材料から形成されていて、前記いずれか一方の胴周り域の両側縁部に位置する第１基側縁部と、前記第１基側縁部から前記横方向外方へ離間する第１自由側縁部とを有し、前記第１基側縁部は、前記いずれか一方の胴周り域の両側縁部と前記股下域の両側縁部との両域につながり、前記第１自由側縁部には、前記前後胴周り域を連結する係合手段が取り付けられており、
前記第２ウイングは、前記第１ウイングとは別体のシート片から形成されていて、弾性伸縮性を有し、前記第１ウイングの内面側に位置して前記第１ウイングと重なり、前記いずれか一方の胴周り域の両側縁部に位置する第２基側縁部と、前記第２基側縁部から前記横方向外方へ離間する第２自由側縁部とを有し、前記第２基側縁部は前記いずれか一方の胴周り域の両側縁部にのみつながり、前記第２自由側縁部は前記第１自由側縁部に固着されており、
前記前後胴周り域の連結時に、前記第１ウイングの伸長応力が胴周り方向と脚周り方向の両方向へ作用する一方、前記第２ウイングの伸長応力は前記胴周り方向のみへ作用することを特徴とする前記物品。
【請求項２】
前記第１ウイングの第１基側縁部から第１自由側縁部までの横方向の寸法と前記第２ウイングの第２基側縁部から第２自由側縁部までの横方向の寸法とが、第１ウイング≒第２ウイングの関係、または、第１ウイング＞第２ウイングの関係にあり、且つ前記第１ウイングと前記第２ウイングとを前記横方向外方へ同一長さまで伸長したときのそれらウイングの前記伸長応力が、第１ウイング＜第２ウイングの関係にある請求項１記載の物品。
【請求項３】
前記第１ウイングは、縦方向へ延びる直状の前記第１基側縁部、これに対向離間し縦方向へ延びていて前記第１基側縁部よりも寸法の短い直状の前記第１自由側縁部、前記第１基側縁部と前記第１自由側縁部との間を横方向へ延びる直状の上端縁、及び前記第１基側縁部と前記第１自由側縁部との間を斜めに延びる下端縁とから形成され、前記第２ウイングは、縦方向へ延びる直状の前記第２基側縁部、これに対向離間し縦方向へ延びていて前記第２基側縁部と寸法が同じである直状の前記第２自由側縁部、及び前記第２基側縁部と前記第２自由側縁部との間を横方向へ延びる上下端縁とから形成されている、請求項１または請求項２に記載する物品。
【発明の詳細な説明】
【０００１】
【発明の属する技術分野】
本発明は、使い捨ておむつやおむつカバー等の使い捨て着用物品に関する。
【０００２】
【従来の技術】
特開平１０−３２８２３７号公報は、縦方向に前後胴周り域と、それら胴周り域の間に位置する股下域とを有し、伸縮性のシート素材からなる一対のウイングが後胴周り域の両側縁部から横方向外方へ延び、ウイングの横方向へ延びる端部各々にウイングよりも高い伸長応力を有する伸縮性素材が配置された使い捨て着用物品を開示している。この物品は、透液性表面シートと、不透液性裏面シートと、それらシートの間に介在する吸液性コアとから形成され、ウイングの自由側縁部に前後胴周り域を連結するテープファスナが取り付けられている。この物品を着用するときは、ウイングを胴周り方向へ伸長しつつ、前胴周り域に取り付けられたターゲットテープにテープファスナを係合させて前後胴周り域を連結する。この物品では、胴周り方向へ伸長するウイングにより、股下域における物品の両側縁部が脚周り方向へ引っ張られるので、着用者の脚周りを前記両側縁部によって強く締め付けることができる。
【０００３】
【発明が解決しようとする課題】
使い捨ておむつやおむつカバー等の着用物品では、着用者の脚周り寸法にもよるが、股下域における物品の両側縁部による着用者の脚周りの締め付けを弱くしたい場合がある。同号公報に開示の物品において、着用者の脚周りの締め付けを弱くするには、ウイングを胴周り方向へあまり伸長させずに前後胴周り域を連結すればよいが、着用者の胴周りに対する締め付けも弱くなり、物品が着用位置からずれ易くなってしまう。
【０００４】
本発明の課題は、着用位置からずれることがないように、着用者の胴周りを確実に締め付けることができるとともに、着用者の脚周りを強く締め付けることがない使い捨て着用物品を提供することにある。
【０００５】
【課題を解決するための手段】
前記課題を解決するための本発明の前提は、縦方向へ延びる両側縁部と、横方向へ延びる両端縁部とを有し、前記縦方向に前胴周り域と、後胴周り域と、それら胴周り域の間に位置する股下域とを備える使い捨て着用物品である。
【０００６】
かかる前提において本発明の特徴は、前記前後胴周り域のうちのいずれか一方の胴周り域において前記両側縁部から延出する各一対の第１ウイングと第２ウイングとを有し、前記第１ウイングは、弾性伸縮性を有するシート材料から形成されていて、前記いずれか一方の胴周り域の両側縁部に位置する第１基側縁部と、前記第１基側縁部から前記横方向外方へ離間する第１自由側縁部とを有し、前記第１基側縁部は、前記いずれか一方の胴周り域の両側縁部と前記股下域の両側縁部との両域につながり、前記第１自由側縁部には、前記前後胴周り域を連結する係合手段が取り付けられており、前記第２ウイングは、前記第１ウイングとは別体のシート片から形成されていて、弾性伸縮性を有し、前記第１ウイングの内面側に位置して前記第１ウイングと重なり、前記いずれか一方の胴周り域の両側縁部に位置する第２基側縁部と、前記第２基側縁部から前記横方向外方へ離間する第２自由側縁部とを有し、前記第２基側縁部は前記いずれか一方の胴周り域の両側縁部にのみつながり、前記第２自由側縁部は前記第１自由側縁部に固着されており、前記前後胴周り域の連結時に、前記第１ウイングの伸長応力が胴周り方向と脚周り方向の両方向へ作用する一方、前記第２ウイングの伸長応力は前記胴周り方向のみへ作用することにある。
【０００７】
本発明の実施の態様の一例としては、前記第１ウイングの第１基側縁部から第１自由側縁部までの横方向の寸法と前記第２ウイングの第２基側縁部から第２自由側縁部までの横方向の寸法とが、第１ウイング≒第２ウイングの関係、または、第１ウイング＞第２ウイングの関係にあり、且つ前記第１ウイングと前記第２ウイングとを前記横方向外方へ同一長さまで伸長したときのそれらウイングの前記伸長応力が、第１ウイング＜第２ウイングの関係にある。また、他の実施の態様の一例としては、前記第１ウイングは、縦方向へ延びる直状の前記第１基側縁部、これに対向離間し縦方向へ延びていて前記第１基側縁部よりも寸法の短い直状の前記第１自由側縁部、前記第１基側縁部と前記第１自由側縁部との間を横方向へ延びる直状の上端縁、及び前記第１基側縁部と前記第１自由側縁部との間を斜めに延びる下端縁とから形成され、前記第２ウイングは、縦方向へ延びる直状の前記第２基側縁部、これに対向離間し縦方向へ延びていて前記第２基側縁部と寸法が同じである直状の前記第２自由側縁部、及び前記第２基側縁部と前記第２自由側縁部との間を横方向へ延びる上下端縁とから形成されていることを特徴としている。
【０００８】
【発明の実施の形態】
添付の図面を参照し、本発明にかかる使い捨て着用物品の詳細を使い捨ておむつを例として説明すると、以下のとおりである。
【０００９】
図１，２は、使い捨ておむつ１の部分破断斜視図と、図１のＡ−Ａ線切断面図とであり、図３は、図１のＢ−Ｂ線切断面図である。図１では、縦方向を矢印Ｘで示し、横方向を矢印Ｙで示す。なお、表裏面シート２，３や第１および第２ウイング８，９、防漏シート７、テープファスナ等の各部材における内面とは、コア４に対向する面をいい、外面とは、コア４に非対向の面をいう。
【００１０】
おむつ１の本体は、透液性表面シート２と、不透液性裏面シート３と、表面シート２と裏面シート３との間に介在し、全体が透水性のティッシュペーパー（図示せず）に被覆、接合された吸液性コア４とを主要な構成部材とする。コア４は、ティッシュペーパーを介して表面シート２と裏面シート３との少なくとも一方の内面に接合されている。
【００１１】
おむつ１は、縦方向に前胴周り域２０と、後胴周り域２２と、前後胴周り域２０，２２の間に位置する股下域２１とを備え、互いに対向して縦方向へ延びる両側縁部５ａ，５ｂ，５ｃと、互いに対向して横方向へ延びる両端縁部６ａ，６ｂとを有する。
【００１２】
おむつ１はコア４の両側縁４ａの外側を縦方向へ延びる一対の防漏シート７を備えている。おむつ１はまた後胴周り域２２における両側縁部５ｃに横方向外方へ延びる第１ウイング８と第２ウイング９とを備えている。前胴周り域２０における両側縁部５ａは股下域２１のそれよりも横方向外方へ延びており、おむつ１はその平面形状が砂時計型を呈する。
【００１３】
第１ウイング８は、おむつ１の本体および第１ウイング８とは別体の弾性伸縮性を有するシートから形成された略台形のものである。この台形は、縦方向へ延びる直状の第１基側縁部８ａ、これに対向離間し縦方向へ延びていて第１基側縁部８ａよりも寸法の短い直状の第１自由側縁部８ｃ、横方向へ延びる直状の上端縁、及び第１基側縁部８ａと第１自由側縁部８ｃとの間を斜めに延びる下端縁とから形成され、第1基側縁部８ａが両側縁部５ｃからなる。基側縁部８ａは、後胴周り域２２の両側縁部５ｃと股下域２１の両側縁部５ｂにつながっている。
【００１４】
第２ウイング９は、おむつ１の本体および第１ウイング８を構成するシートとは別体の弾性伸縮性を有するシートから形成された略矩形のもので、第１ウイング８の内面の側に位置して第１ウイング８に重なっている。この矩形は、縦方向へ延びる直状の第２基側縁部９ａ、これに対向離間し縦方向へ延びていて第２基側縁部９ａと寸法が同じである直状の第２自由側縁部９ｃ、及び第２基側縁部９ａと第２自由側縁部９ｃとの間を横方向へ延びる上下端縁とから形成され、第２基側縁部９ａが両側縁部５ｃからなる。基側縁部９ａは、第１ウイング８のそれとは異なり、両側縁部５ｂにつながっていない。
【００１５】
第１ウイング８と第２ウイング９とでは、それらウイング８，９の自由側縁部８ａ，９ａが互いに固着されている。第１ウイング８と第２ウイング９とは、それらウイング８，９の基側縁部８ａ，９ａの縁から自由側縁部８ｃ，９ｃの縁までの横方向の寸法Ｌ１，Ｌ２が同一である。第１ウイング８と第２ウイング９とは、それらウイング８，９の基側縁部８ａ，９ａから自由側縁部８ｃ，９ｃまでの横方向の寸法が第１ウイング８≒第２ウイング９の関係にあればよい。
【００１６】
第１ウイング８と第２ウイング９との自由側縁部８ｃ，９ｃには、前後胴周り域２０，２２を連結する係合手段であるテープファスナ１０が取り付けられている。テープファスナ１０は、基端部１０ａと、基端部１０ａから横方向外方へ延びる自由端部１０ｂとを有し、自由端部１０ｂの内面にメカニカルファスナのうちのフック部材１１が取り付けられている。
【００１７】
防漏シート７は、表面シート２に固着された固定縁部７ａと、固定縁部７ａに並行する自由縁部７ｂと、おむつ１の横方向内方へ倒伏された状態で表面シート２に固着された両端部７ｃとを有する。防漏シート７では、固定縁部７ａから横方向外方へ外側部分７ｄが延びている。自由縁部７ｂには、縦方向へ延びる弾性伸縮性部材１４が伸長状態で固着されている。弾性部材１４は、自由縁部７ｂの一部に被覆されている。
【００１８】
両側縁部５ｂには、縦方向へ延びる複数条の脚周り用弾性伸縮性部材１２が伸長状態で取り付けられている。脚周り用弾性部材１２は、表面シート２と裏面シート３との間に介在し、それらシート２，３の少なくとも一方の内面に固着されている。
【００１９】
端縁部６ｂには、横方向へ延びる複数条の胴周り用弾性伸縮性部材１３が伸長状態で取り付けられている。胴周り用弾性部材１３は、表面シート２と裏面シー３トとの間に介在し、それらシート２，３の少なくとも一方の内面に固着されている。
【００２０】
両側縁部５ｃでは、表裏面シート２，３の両側部分２ａ，３ａと防漏シート７の外側部分７ｄとがコア４の両側縁４ａから横方向外方へ延び、第１ウイング８の基側縁部８ａが裏面シート３の両側部分３ａの外面に固着されている。第２ウイング９の基側縁部９ａは、表面シート２の両側部分２ａと防漏シート７の外側部分７ｄとの間に介在し、それらシート２，７に固着されている。テープファスナ１０は、その基端部１０ａが第１ウイング８と第２ウイング９との自由側縁部８ｃ，９ｃの間に介在し、それらウイング８，９の内面に固着されている。
【００２１】
両側縁部５ａ，５ｂでは、表面シート２の両側部分２ａが裏面シート３の両側部分３ａと防漏シート７の外側部分７ｄとの間に介在し、それら部分３ａ，７ｄに固着されている。
【００２２】
図１では、弾性部材１２，１３，１４各々が収縮し、おむつ１の両側縁部５ｂおよび端縁部６ｂと防漏シート７の自由縁部７ｂとに多数のギャザーが形成されている。おむつ１は、表面シート２を内側にして縦方向へ湾曲し、弾性部材１４が収縮して防漏シート７の自由縁部７ｂが図１の上方へ起立している。
【００２３】
図４は、前胴周り域２０と後胴周り域２２とを連結した状態で示すおむつ１の斜視図であり、胴周り方向を矢印Ｚ１で示し、脚周り方向を矢印Ｚ２で示す。おむつ１では、第１ウイング８と第２ウイング９とを胴周り方向へ伸長し、それらウイング８，９を両側縁部５ａに重ね合わせ、テープファスナ１０のフック部材１１を前胴周り域２０における裏面シート３の外面に取り付けられたループ部材１５に係合させることにより、前後胴周り域２０，２２を連結することができる。前後胴周り域２０，２２が連結されたおむつ１には、胴周り開口１６と、一対の脚周り開口１７とが画成されている。
【００２４】
おむつ１では、第１ウイング８を胴周り方向へ伸長させると、第１ウイング８によって端縁部６ｂが胴周り方向へ引っ張られるとともに、第１ウイング８の基側縁部８ａが両側縁部５ｂにつながっているので、両側縁部５ｂが脚周り方向へ引っ張られる。おむつ１では、第１ウイング８の伸長応力が胴周り方向Ｚ１と脚周り方向Ｚ２とヘ作用する。
【００２５】
おむつ１では、第２ウイング９を胴周り方向へ伸長させると、第２ウイング９によって端縁部６ｂが胴周り方向へ引っ張られるが、第２ウイング９の基側縁部９ａが両側縁部５ｂにつながっていないので、両側縁部５ｂが脚周り方向Ｚ２へ引っ張られることはない。おむつ１では、第２ウイング９の伸長応力が胴周り方向Ｚ１へのみ作用する。
【００２６】
おむつ１では、第１ウイング８の伸長応力と第２ウイング９の伸長応力とを加えた力が胴周り方向Ｚ１へ作用するので、第１ウイング８と第２ウイング９と端縁部６ｂとによって着用者の胴周りを確実に締め付けることができる。おむつ１では、第２ウイング９の伸長応力が脚周り方向Ｚ２へ作用しないので、第２ウイング９のそれが脚周り方向へ作用する場合と比較し、両側縁部５ｂによる着用者の脚周りの締め付けを弱くすることができる。
【００２７】
おむつ１では、第１ウイング８と第２ウイング９とを横方向外方へ同一長さまで伸長したときのそれらウイング８，９の伸長応力が第１ウイング８＜第２ウイング９の関係にあってもよい。第２ウイング９の伸長応力を第１ウイング８のそれよりも強くした場合では、着用者の胴周りを第２ウイング９によって一層強く締め付けることができる。
【００２８】
図５，６は、他の実施の形態を示す使い捨ておむつ１の部分破断斜視図と、図５のＣ−Ｃ線切断面図とであり、図７は、図５のＤ−Ｄ線切断面図である。図５では、縦方向を矢印Ｘで示し、横方向を矢印Ｙで示す。おむつ１の基本的な構成は、図１のそれと同一であるので、その説明は省略する。図５に示すおむつ１が図１のそれと異なる点は、以下のとおりである。
【００２９】
このおむつ１では、第１ウイング８の基側縁部８ａの縁から自由側縁部８ｃの縁までの横方向の寸法Ｌ１と第２ウイング９の基側縁部９ａの縁から自由側縁部９ｃの縁までの横方向の寸法Ｌ２とが、Ｌ１＞Ｌ２の関係にあり、第１ウイング８と第２ウイング９との単位面積当たりの伸長応力が、第１ウイング８≒第２ウイング９の関係にある。
【００３０】
図８は、前胴周り域２０と後胴周り域２２とを連結した状態で示すおむつ１の斜視図であり、胴周り方向を矢印Ｚ１で示し、脚周り方向を矢印Ｚ２で示す。おむつ１では、図４のそれと同様に、第１ウイング８の伸長応力が胴周り方向Ｚ１と脚周り方向Ｚ２とヘ作用し、第２ウイング９の伸長応力が胴周り方向Ｚ１へのみ作用する。
【００３１】
おむつ１では、第１ウイング８と第２ウイング９との単位面積当たりの伸長応力が略同一であるが、第２ウイング９の寸法Ｌ２が第１ウイング８の寸法Ｌ１よりも短いので、それらウイング８，９を横方向外方へ同一長さまで伸長させたときに、第２ウイング９の伸長応力が実質的に第１ウイング８のそれよりも強くなる。おむつ１では、第１ウイング８と第２ウイング９とを胴周り方向Ｚ１へ伸長させて前後胴周り域２０，２２を連結したときに、第２ウイング９と端縁部６ｂとによって着用者の胴周りを確実に締め付けることができる。
【００３２】
図８のおむつ１では、第１ウイング８の基側縁部８ａから自由側縁部８ｃまでの横方向の寸法と第２ウイング９の基側縁部９ａから自由側縁部９ｃまでの横方向の寸法とが、第１ウイング８＞第２ウイング９の関係にあればよく、第１ウイング８と第２ウイング９との単位面積当たりの伸長応力が、第１ウイング８＜第２ウイング９の関係にあってもよい。
【００３３】
それら図示例のおむつ１では、第１ウイング８と第２ウイング９とが前胴周り域２０におけるおむつ１の両側縁部５ａに取り付けられていてもよい。また、第１ウイング８が、裏面シート３の一部を利用しておむつ１の本体と一体的に形成されていてもよい。裏面シート３が第１ウイング８を形成する場合では、裏面シート３に弾性伸縮性を有する疎水性の不織布と弾性伸縮性を有するプラスチックフィルムとのラミネートシートを使用することが好ましく、裏面シート３を縦方向と横方向とヘ伸長させた状態で、表面シート２と裏面シート３との重なり合う部分を間欠的に固着する。
【００３４】
表面シート２には、不織布や開孔プラスチックフィルム等の透液性のシート、好ましくは透液性であって親水性のシートを使用することができる。裏面シート３には、疎水性不織布や不透液性のプラスチックフィルム、または、疎水性不織布とプラスチックフィルムとのラミネートシート、好ましくは通気不透液性のシートを使用することができる。
【００３５】
第１ウイング８と第２ウイング９とには、弾性伸縮性を有する不織布や弾性伸縮性を有するプラスチックフィルム、または、弾性伸縮性の不織布と弾性伸縮性のプラスチックフィルムとのラミネートシートを使用することができる。防漏シート７には、疎水性の不織布を使用することができる。
【００３６】
不織布としては、スパンレース、ニードルパンチ、メルトブローン、サーマルボンド、スパンポンド、ケミカルボンド、エアースルー等により製造された不織布を使用することができる。不織布の構成繊維としては、ポリオレフィン系、ポリエステル系、ポリアミド系の各繊維、ポリエチレン／ポリプロピレンやポリエチレン／ポリエステル等で形成された芯鞘型複合繊維、サイドバイサイド型複合繊維を使用することができる。
【００３７】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００３８】
表裏面シート２，３の固着や第１および第２ウイング８，９の固着、防漏シート７の固着、コア４の接合、弾性部材１２，１３，１４の固着には、ホットメルト系の接着剤、または、熱溶着手段を利用することもできる。
【００３９】
この発明は、使い捨ておむつの他に、おむつカバーでも実施することができる。
【００４０】
【発明の効果】
本発明にかかる使い捨て着用物品によれば、第１ウイングと第２ウイングとを胴周り方向へ伸長させて前後胴周り域を連結したときに、第１ウイングの伸長応力が胴周り方向と脚周り方向とヘ作用し、第２ウイングの伸長応力が胴周り方向へのみ作用するので、股下域における物品の両側縁部による着用者の脚周りの締め付けを弱くしつつ、着用者の胴周りを確実に締め付けることができ、物品が着用位置からずれてしまうことを防ぐことができる。
【００４１】
第２ウイングの伸長応力が第１ウイングのそれよりも強い物品では、着用者の胴周りを第２ウイングによって一層強く締め付けることができるので、物品の位置ずれ防止を向上させることができる。
【００４２】
また、第２ウイングの基側縁部から自由側縁部までの横方向の寸法が前記第１ウイングのそれよりも短く、第１ウイングと第２ウイングとの単位面積当たりの伸長応力が略同一の物品では、第１および第２ウイングを横方向外方へ同一長さまで伸長させたときに、第２ウイングの伸長応力が実質的に第１ウイングのそれよりも強くなるので、この物品においても、着用者の胴周りを第２ウイングによって一層強く締め付けることができ、物品の位置ずれ防止を向上させることができる。
【図面の簡単な説明】
【図１】  使い捨ておむつの部分破断斜視図。
【図２】  図１のＡ−Ａ線切断面図。
【図３】  図１のＢ−Ｂ線切断面図。
【図４】  前胴周り域と後胴周り域とを連結した状態で示す図１のおむつの斜視図。
【図５】  他の実施の形態を示す使い捨ておむつの部分破断斜視図。
【図６】  図５のＣ−Ｃ線切断面図。
【図７】  図５のＤ−Ｄ線切断面図。
【図８】  前胴周り域と後胴周り域とを連結した状態で示す図５のおむつの斜視図。
【符号の説明】
１                使い捨ておむつ（使い捨て着用物品）
５ａ，５ｂ，５ｃ  両側縁部
６ａ，６ｂ        両端縁部
８                第１ウイング
８ａ              第１基側縁部
８ｃ              第１自由側縁部
９                第２ウイング
９ａ              第２基側縁部
９ｃ              第２自由側縁部
２０                前胴周り域
２１                股下域
２２                後胴周り域
Ｌ１，Ｌ２          寸法
【図１】
0004079581.tif 000002
【図２】
0004079581.tif 000003
【図３】
0004079581.tif 000004
【図４】
0004079581.tif 000005
【図５】
0004079581.tif 000006
【図６】
0004079581.tif 000007
【図７】
0004079581.tif 000008
【図８】
0004079581.tif 000009